(57)【要約】【課題】新鍵のコード設定作業を内枠体を開放することなく内枠体の前面側から操作できる遊技機を提供する。【解決手段】外枠２の前面に内枠体４が開閉自在に装着され、前記内枠体４の一側にシリンダー錠４０が設けられ、前記内枠体４の前面に前記シリンダー錠４０の鍵挿通口５２が開設された飾り部材６が設けられた遊技機であって、前記シリンダー錠４０は後面に突出する鍵リセット摘み８１ａを操作することにより複数種類の鍵コードに設定可能な可変式錠であり、前記鍵リセット摘み８１ａと連係するリセットレバー８７をシリンダー錠４０の前面側に臨ましめ、前記飾り部材６を内枠体４から離間させた状態で前記リセットレバー８７を操作することにより、前記シリンダー錠４０の鍵コード設定操作を内枠体４の前面側から行い得るようにした。【選択図】　図２
2004081605.tif 000002
【特許請求の範囲】
【請求項１】
外枠の前面に内枠体が開閉自在に装着され、前記内枠体の一側にシリンダー錠が設けられ、前記内枠体の前面に前記シリンダー錠の鍵挿通口が開設された飾り部材が設けられた遊技機であって、
前記シリンダー錠は後面に突出する鍵リセット摘みを操作することにより複数種類の鍵コードに設定可能な可変式錠であり、前記鍵リセット摘みと連係するリセットレバーをシリンダー錠の前面側に臨ましめ、前記飾り部材を内枠体から離間させた状態で前記リセットレバーを操作することにより、前記シリンダー錠の鍵コード設定操作を内枠体の前面側から行い得るようにしたことを特徴とする遊技機。
【請求項２】
前記シリンダー錠と前記リセットレバーとをそれぞれ取付部材に組付けてなる鍵コード設定機構を前記内枠体に装着したことを特徴とする請求項１記載の遊技機。
【請求項３】
外枠の前面に内枠体が開閉自在に装着され、前記内枠体の一側にシリンダー錠が設けられ、前記内枠体の前面に前記シリンダー錠の鍵挿通口が開設された飾り部材が設けられた遊技機であって、
前記シリンダー錠を前記内枠体の前面に所定厚さの取付部材を介して取着することにより該シリンダー錠の鍵穴を前記鍵挿通口の開口部付近に位置させたことを特徴とする遊技機。
【請求項４】
前記取付部材の前面側周縁に異物の侵入を防ぐリブ壁を立設したことを特徴とする請求項２又は３記載の遊技機。
【請求項５】
前記飾り部材が透明板保持枠であることを特徴とする請求項１乃至４のいずれかに記載の遊技機。
【発明の詳細な説明】
【０００１】
【発明の属する技術分野】
本発明は、シリンダー錠を備えた遊技機に関するものである。
【０００２】
【従来の技術】
一般に、遊技機としてのパチンコ遊技機は、機枠の前面に内枠体が開閉自在に配設される。そして、この内枠体の後面に遊技盤が装着され、その前面には遊技盤の前面を覆う透明板保持枠が開閉自在に配設されている。更に、前記内枠体の開放側の前面には内枠体及び透明板保持枠を施錠するためのシリンダー錠が設けられている。
【０００３】
前記シリンダー錠は、近年、店単位で統一の鍵が使用でき、錠本体を交換することなくそのまま使用し、不正防止のために定期的に鍵を替えることができるといった効果を奏することから、鍵のコードを変更するリセット摘みの操作により鍵のコードを変更できる可変式のシリンダー錠が多くなっている。
【０００４】
また、デザイン的な効果から内枠体の前面側に前記シリンダー錠の鍵挿通口を開設した飾り部材を設けている。
【０００５】
前記飾り部材は、前記透明板保持枠が内枠体の横幅とほぼ同じであって、内枠体の上部前面の全体を覆うようにして兼用することもあるが、該透明板保持枠にシリンダー錠の鍵挿通口を開設する場合は、この鍵挿通口が透明板保持枠の開放側に位置し、しかも透明板保持枠が一側を中心とし回動することから、シリンダー錠が支えて回動し得ないことがないようにシリンダー錠の外径より大きく成形されている。
【０００６】
また、最近のパチンコ遊技機は、デザイン的にも優れたものが多く、内枠体の前面に設けられる透明板保持枠を立体的に形成して、遊技者の視覚に訴えるようにしたものがある。
【０００７】
【発明が解決しようとする課題】
しかしながら、従来の新鍵コード設定作業は、鍵のコードを変更するリセット摘みがシリンダー錠の後面側に突出して設けられていることから、いちいち内枠体を開放して、内枠体の後面に位置するリセット摘みを探して操作しなければならず、新台入替程度の台数であればまだしも、ホール全体の鍵を新鍵コードに変更するとなると、その作業は極めて大変なものとなっていた。
【０００８】
また、開閉自在に設けた透明板保持枠に形成した鍵挿通口の大きさをシリンダー錠の外径よりもあまり大きくすると、その隙間から細い針金を差し込み、施錠装置を解錠して、本来シリンダー錠を作動させて開放する内枠体または透明板保持枠を開けて不正をされる危険性がある。
【０００９】
更に、デザイン変更により前記透明板保持枠等の飾り部材の立体形状が変化して、鍵挿通口の前面側への突出高さが変化すると、それに対応してシリンダー錠の鍵穴位置も変化するため、シリンダー錠を取着する内枠体自体も形状変更しなければならずコスト高となっていた。
【００１０】
本発明は、上記した問題点に鑑みてなされたもので、その目的とするところは、新鍵のコード設定作業を内枠体を開放することなく内枠体の前面側から操作できる遊技機を提供することにある。また、鍵穴が臨む鍵挿通口からの不正行為を防止できるようにした遊技機を提供する。更に、他の目的として内枠体の前面に設けられる透明板保持枠のデザイン変更により鍵挿通口の突出高さが変化しても、シリンダー錠の鍵穴を変化した鍵挿通口に簡単に対応させることができる遊技機を提供する。
【００１１】
【課題を解決するための手段】
上記した目的を達成するために、請求項１記載の発明は、外枠の前面に内枠体が開閉自在に装着され、前記内枠体の一側にシリンダー錠が設けられ、前記内枠体の前面に前記シリンダー錠の鍵挿通口が開設された飾り部材が設けられた遊技機であって、前記シリンダー錠は後面に突出する鍵リセット摘みを操作することにより複数種類の鍵コードに設定可能な可変式錠であり、前記鍵リセット摘みと連係するリセットレバーをシリンダー錠の前面側に臨ましめ、前記飾り部材を内枠体から離間させた状態で前記リセットレバーを操作することにより、前記シリンダー錠の鍵コード設定操作を内枠体の前面側から行い得るようにしたことを特徴とする。ここでいう「飾り部材」とはシリンダー錠部分のみを覆うレンズ部材であっても、内枠体のほぼ横幅前面を覆うように設けられる透明板保持枠であってもよく、大きさは限定されるものではない。
【００１２】
請求項２記載の発明は、請求項１記載の発明であって、前記シリンダー錠と前記リセットレバーとをそれぞれ取付部材に組付けてなる鍵コード設定機構を前記内枠体に装着したことを特徴とする。このように前記シリンダー錠と前記リセットレバーとをそれぞれ取付部材に一体に組付けて鍵コード設定機構をユニット化することで、組付け作業が楽になる。
【００１３】
また、請求項３記載の発明は、外枠の前面に内枠体が開閉自在に装着され、前記内枠体の一側にシリンダー錠が設けられ、前記内枠体の前面に前記シリンダー錠の鍵挿通口が開設された飾り部材が設けられた遊技機であって、前記シリンダー錠を前記内枠体の前面に所定厚さの取付部材を介して取着することにより該シリンダー錠の鍵穴を前記鍵挿通口の開口部付近に位置させたことを特徴とする。このようにすることによって、デザイン変更により飾り部材の鍵挿通口の突出高さが変更しても、シリンダー錠の鍵穴を前記鍵挿通口に臨む高さに設定する取付部材を介して設けることで対応することができ、内枠体の形状を変更することなくコストの低減を図ることができる。
【００１４】
請求項４記載の発明は、請求項２又は３記載の発明であって、前記取付部材の前面側周縁に異物の侵入を防ぐリブ壁を立設したことを特徴とする。このようにすることによって、前記鍵挿通口からの不正を確実に防止するようにした。
【００１５】
また、請求項５記載の発明は、請求項１乃至請求項４のいずれかに記載の発明であって、前記飾り部材が透明板保持枠であることを特徴とする。透明板保持枠の「透明板」とは、ガラス板であっても合成樹脂製の透明板であってもよい。
【００１６】
なお、本願発明の遊技機は、パチンコ球を遊技媒体として遊技するパチンコ遊技機であっても、コイン（メダル）を遊技媒体として遊技するスロット遊技機であってもよい。
【００１７】
【発明の実施の形態】
次に、図面を参照して本発明の一実施の形態を説明する。図１は本発明が適用されるパチンコ遊技機の正面図、図２は透明板保持枠を開いた状態のパチンコ遊技機の斜視図、図３は内枠体を開放した状態の裏面斜視図、図４は内枠体と透明板保持枠と前面板及び前面下部板を取り外した状態の斜視図である。遊技機としてのパチンコ遊技機１は、縦長方形状に枠組みして成形される外枠２と、該外枠２の一側に上下ヒンジ機構３ａ，３ｂによって開閉自在に軸支される内枠体４とを備えている。前記内枠体４の前面一側に多軸蝶番５により透明板保持枠６が開閉自在に軸支され、その下方に打球供給皿７を有する前面板８及び余剰球受皿９を有する前面下部板１０とが開閉自在に軸支されており、透明板保持枠６，打球供給皿７，余剰球受皿９は、全体が統一されたデザインで構成されている。また、前記余剰球受皿９の側方に位置して打球発射用の操作ハンドル１１が設けられている。
【００１８】
前記外枠２は、図３に示すように上下枠板１２，１３と左右枠板１４，１５とにより矩形に枠組され、その下部前面に補強用の腰板１６が横設されており、内枠体４を閉じた状態で該腰板１６の上端面と内枠体４の下端面とが重合するように構成されている。そして、腰板１６の上面にすべり金具１８を設けて、内枠体４の開閉時の摩擦抵抗を減少させると共に、内枠体４及び腰板１６の破損を防止するようにしている。前記腰板１６の前面には合成樹脂により形成された装飾板１７を取付けて、前記透明板保持枠６，打球供給皿７，余剰球受皿９のデザインと統一させて、パチンコ遊技機１全体を１つの統一したデザインとしている。また、外枠２の右枠板１５内側面の上下位置には内枠体４を係止する係止金具１９ａ，１９ｂが取付けられている。
【００１９】
前記内枠体４は、鉄板等の金属板によって成形されており、図３及び図４に示すように上部に遊技盤２３が臨む開口窓２０が開設され、該開口窓２０の上方及び下方を板状部２１ａ，２１ｂとして額縁状に形成された主枠部２１と、該主枠部２１の裏面側にカシメ着され遊技盤２３が着脱可能に設けられる遊技盤取付枠２２とで構成されている。前記遊技盤取付枠２２は、左右縦枠２２ａ，２２ｂ及び下部枠２２ｃにより上面開放したコ字形としている。前記板状部２１ｂには、前記操作ハンドル１１の操作によりパチンコ球を遊技盤２３面へ打込む打球発射機構２４、遊技中大当り状態になった時などに後記する中・高音スピーカ５５と共に低音を発生させる低音スピーカ２６及び打球供給皿７から球抜きしたパチンコ球またはファール球等を余剰球受皿９に誘導する通路構成体２７等の遊技構成部品が集約して設けられる。更に、前記開口窓２０の上方の板状部２１ａには、横長に成形された状態表示基板２８が取り付けられている。この状態表示基板２８の前面には、透明板保持枠６が開放したことをホールコンピュータ（図示せず）へ電気的に出力する扉開放スイッチ２９、及びエラー状態が生じたことをホールの係員に知らせる状態表示ランプ３０が設けられている。
【００２０】
前記内枠体４の軸支側前面には、図２及び図４に示すように透明板保持枠６を連結するための多軸蝶番５が設けられる。この多軸蝶番５は、二枚のリンク板を備えた二連二軸蝶番であって、図１３に示すように内枠体４側に取付けられる支持部材３２ａと透明板保持枠６側に位置する支持部材３２ｂと、両支持部材３２ａ，３２ｂを連結する二枚のリンク板３３ａ，３３ｂとからなり、それぞれ上下一対配設される。そして、前記上下リンク板３３ａ，３３ａを金属製の連結部材３４で連結すると共に、透明板保持枠６側の上下支持部材３２ｂ，３２ｂを断面コ字形の取付板３５で連結して多軸蝶番５をユニット化しており、多軸蝶番５のみの交換を可能としている。前記取付板３５には、透明板保持枠６の装着部材６１と連係する係止杆３６が横架されている。
【００２１】
また、内枠体４の開放側に位置する縦枠２２ａに、内枠体４の施錠機構３７が組付けられている。更に、内枠体４の前面側であり、その開放側に位置する側縁部分には、固定プレート３８を介して透明板保持枠６の施錠機構３９が組み付けられている。前記固定プレート３８には図１０に示すようにシリンダー錠４０が取付部材４１を介して固着されている。
【００２２】
前記内枠体４の施錠機構３７は、図１６に示すように縦枠２２ａの側壁内面に沿って上下方向へ摺動自在に設けられる施錠杆９５を備えている。この施錠杆９５は、外枠２の上部の係止金具１９ａに下方から係脱する上フック部９６が設けられた上施錠片９７と、外枠２の下部の係止金具１９ｂに下方から係脱する下フック部９８が設けられた下施錠片９９と、両施錠片９７，９９を解錠方向へ摺動させる中間連係片１００との三部材で構成されている。そして、上施錠片９７に設けられた突起片１０１を、中間連係片１００の上部側に形成されたコ字状の切欠部１０２に臨ませると共に、中間連係片１００の下端と下施錠片９９の上端とを突き合わせ状にして連動可能に構成されている。また、上施錠片９７及び下施錠片９９は、それぞれスプリング１０３によって上方向に付勢されており、これによって上施錠片９７の上フック部９６が外枠２の上部の係止金具１９ａに下方から係合し、下施錠片９９の下フック部９８が外枠２の下部の係止金具１９ｂに下方から係合して内枠体４を施錠するようになっている。なお、前記中間連係片１００の切欠部１０２は、上施錠片９７の突起片１０１がフリーで下方へ移動可能な遊びが設けられている。
【００２３】
また、前記中間連係片１００には、その上下位置に連動部材１０５と解錠操作部材１０６とが回動可能に軸着されている。連動部材１０５は、折曲により一方の端部に係合部１０７が形成されている。また、解錠操作部材１０６は、一端に摘み部１０８を有し他端に切替弁１０９を有しており、前記摘み部１０８が内枠体４の主枠部２１に開設された開口部１１０から前面側に突出する位置と後退する位置とに回動可能に軸支されている。そして、切替弁１０９を操作して摘み部１０８を開口部１１０から前面側に突出させた状態のとき、その摘み部１０８を指で押し下げることにより、前記中間連係片１００を下方へ移動させることができ、それに伴い両施錠片９７，９９を下動させるようになっている。
【００２４】
前記透明板保持枠６の施錠機構３９は、図１４及び図１７に示すように固定プレート３８の垂直壁３８ａであり、その前側縁の上下位置に形成された係合切欠き部１１１，１１１と、該垂直壁３８ａの内側面に沿って上下動可能に装着された縦長な係止板１１２とから構成されている。この係止板１１２の前側縁であり、固定プレート３８の係合切欠き部１１１，１１１に対応する位置に、係止部１１３，１１３が形成されており、後側縁のほぼ上下中間位置には係合受部１１４が形成されている。また係止板１１２は、スプリング１１５により常に上方に付勢されている。なお、係止板１１２の後側縁部には、内枠体４から後方へ突出する開放レバー１１６が固着されている。
【００２５】
前記シリンダー錠４０は、任意に新鍵のコードに設定変更することができる可変式錠である。前記シリンダー錠４０は、図１１に示すように取付片部７０により固定状態に取付けられる外周シリンダー７１と、錠軸７２を有し前記外周シリンダー７１の内周面に回転可能に設けられ、回転動作により施錠と解錠動作を行う中間シリンダー７３と、前記中間シリンダー７３の内周面に設けられ前記鍵穴５１を有する内周シリンダー７４とで構成される。そして、前記外周シリンダー７１及び中間シリンダー７３，内周シリンダー７４に連通して複数の収納部７５及び副収納部７６が形成され、前記複数の収納部７５にそれぞれスプリング７７，突出ピン７８，設定用スペーサ７９，ブロック８０等が収納される。そして、鍵Ｋの凹凸により内周シリンダー７４の収納部７５に収まる設定用スペーサ７９の数が決まることで鍵コードが設定され、内周シリンダー７４及び中間シリンダー７３を一緒に回動させることができる。また、前記副収納部７６には、鍵のコードを変更するリセット機構としてスプリング７７，操作ピン８１，ブロック８０が収納される。前記リセット機構の操作ピン８１は、屈曲して鍵リセット摘み８１ａとして錠軸７２のある後面側に突出しており、該鍵リセット摘み８１ａを押圧操作することで内周シリンダー７４のみが回動し得る状態となり、設定用スペーサ７９を設定変更することにより、鍵のコードをセットすることができる。前記シリンダー錠４０の錠軸７２には、円筒状のスペーサ８２を介して前記連動部材１０５係合部１０７に係合する第１カム片９１及び前記係合受部１１４に係合する第２カム片９２を有するカム板８３がビス着８４される。
【００２６】
前記取付部材４１は、図１０に示すように合成樹脂により所定厚さを有する箱状に形成され、前記固定プレート３８の垂直壁３８ａと内枠体４の外側壁との間にちょうど嵌り込む横幅を有する。そして、取付部材４１の前面周縁にリブ壁８５を立設し、その内側には前記シリンダー錠４０の取付片部７０が嵌る取付凹部８６が形成され、その取付凹部８６の一部に臨んでリセットレバー８７の摺動溝８８が形成されている。前記リセットレバー８７は、一端に前記リセット機構の鍵リセット摘み８１ａに係合する係合部としての係合孔８９が形成され、他端に取付部材４１の前面側へ突出する操作部９０が形成されている。
【００２７】
前記シリンダー錠４０を前記取付部材４１に取付けるには、前記摺動溝８８に前記リセットレバー８７を摺動自在に嵌めて、該リセットレバー８７の係合孔８９に前記リセット機構の鍵リセット摘み８１ａが係合するようにシリンダー錠４０を取付凹部８６にセットする。そして、取付部材４１の後面側から円筒状のスペーサ８２を介して錠軸７２にカム板８３をビス着８４することで、シリンダー錠４０が取付部材４１に固着され、シリンダー錠４０及びリセットレバー８７の鍵コード設定機構が取付部材４１にユニット化されることになる。このとき、前記リセットレバー８７の操作部９０は、鍵穴５１側に突出して操作可能な状態にある。このように、鍵コード設定機構がユニット化されることにより、リセットレバー８７等の組付け作業が容易になると共に鍵コード設定の操作性が向上する。なお、鍵コード設定機構をユニット化するに際し、取付部材４１の形状に囚われることなく板状であってもよい。
【００２８】
そして、前記鍵コード設定機構がユニット化された取付部材４１を、内枠体４に取着するには、図４及び図９に示すように前記固定プレート３８の垂直壁３８ａと内枠体４の外側壁との間に嵌め込み、前記固定プレート３８の取付台部３８ｂにビス着９４することで取着される。このとき、取付部材４１の内枠体４からの突出量によりシリンダー錠４０の前面側への突出量が決められる。
【００２９】
上記構成の内枠体４を外枠２に軸支する前記上ヒンジ機構３ａは、図５に示すように外枠２の外側の上部隅部に取り付けられる上部固定金具４２と、内枠体４の一側上部にビス着される上部可動金具４３とからなる。上部固定金具４２には、外枠２の上面端部から前方へ水平に突出する突出片４２ａが設けられ、この突出片４２ａの先端部に外側へ向かって開口する切欠き溝４４ａと連通する軸受孔４４が貫設されている。また、上部可動金具４３には、先端下面に前記軸受孔４４に嵌合する上ヒンジ軸４５が下向きに突設されている。前記上ヒンジ軸４５は、上部固定金具４２の軸受孔４４に嵌合する円形軸部４５ａと内枠体４をほぼ直角状に開放した状態で、前記切欠き溝４４ａに挿入できる幅に形成した扁平軸部４５ｂを有し、その円形軸部４５ａと扁平軸部４５ｂとの境界面が後方上から手前下へ向かう下向き傾斜面４５ｃとして形成されている。
【００３０】
一方、下ヒンジ機構３ｂは、図６に示すように外枠２内側の下部隅部に取り付けられる下部固定金具４６と内枠体４の一側下部にビス着される下部可動金具４７とからなる。下部固定金具４６には、先端上面に下ヒンジ軸４８が上向きに突設され、下部可動金具４７には、前記下ヒンジ軸４８に嵌合する軸孔４９が貫設されている。
【００３１】
そして、前記内枠体４を外枠２に軸支するには、先ず下部可動金具４７の軸孔４９を下部固定金具４６の下ヒンジ軸４８に上方から嵌合させて連結し、次に、図７に示すように内枠体４を外枠２に対しほぼ直角状に開放した状態に位置させて、該内枠体４の上部可動金具４３を外枠２の上部固定金具４２に接近させ、上部可動金具４３の上ヒンジ軸４５の扁平軸部４５ｂを上部固定金具４２の突出片４２ａの切欠き溝４４ａに臨ませて内枠体４を外枠２に押し付ける。すると、図７鎖線に示すように上ヒンジ軸４５の傾斜面４５ｃが突出片４２ａと接触することによって一端透明板保持枠６が持ち上げられ、さらに内枠体４を押し込むことにより扁平軸部４５ｂが切欠き溝４４ａを通過して、図７実線に示すように円形軸部４５ａが上部固定金具４２の軸受孔４４に嵌合する。このように、重量感のある内枠体４を手で持ち上げることなく、上下ヒンジ機構３ａ，３ｂを支点にして外枠２にワンタッチで開閉自在に装着することができる。
【００３２】
そして、内枠体４が開放された状態において、内枠体４を外枠２に押し付けると、施錠機構３７の上施錠片９７の上フック部９６及び下施錠片９９の下フック部９８が、外枠２の上下係止金具１９ａ，１９ｂの下縁にそれぞれ当接する。更に、内枠体４を外枠２に押し付けることで、上施錠片９７と下施錠片９９とが中間連係片１００に関係なくスプリング１０３，１０３の付勢に抗して下方へ移動することになる。そして、内枠体４が閉じられると、上フック部９６と下フック部９８のそれぞれ上縁が外枠２の上下係止金具１９ａ，１９ｂを通過し、同時にスプリング１０３，１０３の付勢によって上施錠片９７と下施錠片９９がそれぞれ上方に移動して、外枠２の上下係止金具１９ａ，１９ｂに係合されるもので、これによって内枠体４が外枠２に閉鎖した状態で施錠されることになる。
【００３３】
上記のように装着された内枠体４を開放するには、図１７に示すようにシリンダー錠４０の鍵穴５１に鍵Ｋを差し込んで、錠軸７２を図１８に示す矢印Ａ方向ヘ回動すると、カム板８３の第１カム片９１が連動部材１０５の係合部１０７に上方から係合し、図１９及び図２０鎖線に示すように中間連係片１００が下方へ押し下げられる。これによって、上施錠片９７と下施錠片９９とが中間連係片１００に連動してスプリング１０３の付勢に抗して下方へ移動し、図１９に示すように上施錠片９７の上フック部９６と外枠２の上部の係止金具１９ａとの係合及び図２０に示すように下施錠片９９の下フック部９８と外枠２の下部の係止金具１９ｂとの係合が解かれることになり、内枠体４が外枠２から開放可能な状態となる。
【００３４】
前記施錠杆９５を上施錠片９７と下施錠片９９及び中間連係片１００の三部材でそれぞれ分離した構成とすることにより、例えば鍵Ｋの回動操作によらないで上施錠片９７又は下施錠片９９を下方へ移動させて外枠２の係止金具１９ａ，１９ｂとの係合を解除し、内枠体４を開放するような不正行為が行われても、上施錠片９７と下施錠片９９とが連動することなくいずれか一方が係合状態を維持し続けることができるので、不正防止に役立つという利点がある。
【００３５】
また、前記中間連係片１００とシリンダー錠４０の第１カム片９１とを、中間連係片１００に回動可能に軸着した連動部材１０５を介して連動するようにしたので、例えば図９鎖線で示すように、連動部材１０５を第１カム片９１と係合不能な位置に回動させて置くことにより鍵Ｋの回動による内枠体４の開放ができなくなるため、ソレノイド等の電気的駆動源により解錠可能な施錠装置に容易に変更することができる。更に連動部材１０５を第１カム片９１と係合不能な位置に回動させて置き、図２１鎖線で示すように解錠操作部材１０６をその摘み部１０８が開口部１１０から前面側に突出する位置に回動させて置くようにすれば、鍵Ｋを使用して内枠体４を開放することができない。このため、内枠体４を開放するには先ず透明板保持枠６を開き、次に解錠操作部材１０６の摘み部１０８を押し下げ操作するというように２段階の手順を踏む必要があって、内枠体４の不正開放防止に役立つという利点がある。また、解錠操作部材１０６の切替弁１０９を図２１実線で示すように下方向に押し下げると、内枠体４の前面側から解錠操作部材１０６の摘み部１０８が操作できなくなり、内枠体４を開放することができなくなる。
【００３６】
前記透明板保持枠６は、図１に示すように内枠体４の上半部分を全幅にわたって覆う大きさに形成され、その中央部に遊技盤２３前面の遊技部が視認可能な円形状の開口５０が形成される合成樹脂製の本体枠６ａと、該本体枠６ａの裏面側に装着される補強金属板６ｂとから構成され、ビスにより組み付けられている。前記本体枠６ａは、飾り部材として前記シリンダー錠４０周辺部と対向し、鍵穴５１が臨む鍵挿通孔５２も含め一体に成形している。また、本体枠６ａは、透光性樹脂６ａ１と非透光性樹脂６ａ２を互いに重合して、図９に示すように係止爪５３及びビス着により一体化して組付けられている。そして、前記開口５０の外周縁部を前側へ最も張り出させて、透光性樹脂６ａ１の部分と非透光性樹脂６ａ２の部分とを複雑に入り込ませてその外観が火山のようにデザイン化している。
【００３７】
また、前記本体枠６ａの後面であって前記鍵挿通孔５２部位に、透明板保持枠６を閉めるとき、シリンダー錠４０との接触により前記鍵挿通孔５２を鍵穴５１の正位置にガイドすると共に前記鍵挿通孔５２からの不正具の侵入を防止する金属製の枠体６７が設けられている。この枠体６７は、図８及び図９に示すように、前側壁６７ｃに前記鍵挿通孔５２と連通する通孔６７ｄが開設され、後面が開放して後方へ向かって漸次広がるように傾斜し、前記シリンダー錠４０の高さ寸法より若干幅広く設定された箱枠状に成形されると共に、後端外周縁には湾曲部を介して外方へ伸びるフランジ部６７ａが周設されている。そして、フランジ部６７ａに設けられるビス挿通孔６７ｂを介して本体枠６ａの後面に設けられたボス６８に、ビス６９を螺締することにより取付けられる。
【００３８】
前記補強金属板６ｂには、図８に示すようにその開放側側辺に前記鍵挿通孔５２と対応して、前記シリンダー錠４０が貫通する貫通孔５４が開設されている。また、前記本体枠６ａとの間に位置して、遊技者にとって音響効果のある適宜位置に中・高音スピーカ５５を配設している。更には、図９に示すように、前記透光性樹脂６ａ１の後面位置に照明具としてＬＥＤ５６を配設して、該ＬＥＤ５６の点灯により、透明板保持枠６全体が恰も火山が噴火し溶岩が流動するイメージとした電飾効果を発揮するようにしている。また、補強金属板６ｂの後面には、透明板として２枚のガラス板５７，５７を重合したガラス枠体５８が装填される保持溝枠５９が一体に設けられており、該保持溝枠５９は本体枠６ａの開口５０の上辺部を除く左右側辺部及び下側辺部を囲うようにしてコ字形に形成されている。そして、この保持溝枠５９の外側面上下に、前記施錠機構３９と係合するＬ型係止金具６０が設けられている。なお、透明板をガラス板５７としたが、合成樹脂製の透明板としてもよい。
【００３９】
また、補強金属板６ｂの軸支側上下部には、図４に示すように前記多軸蝶番５と連係する装着部材６１がビス着されている。各装着部材６１は、図１３に示すように補強金属板６ｂにビス止めされる支持部６３と、該支持部６３に上下方向へスライド自在に装着され、その上端に傾斜面６４ａが設けられた滑動子６４と、該滑動子６４を常に上方へ付勢するばね６５とからなり、前記支持部６３に前記係止杆３６が保持されるＵ字形溝６６が設けられている。そして、滑動子６４に前記係止杆３６を押し付けることで、前記傾斜面６４ａにより一旦滑動子６４がばね６５の付勢に抗して下動して前記各係止杆３６がＵ字形溝６６に嵌合する。このようにして、透明板保持枠６が多軸蝶番５を介して内枠体４に簡単に取付けられる。
【００４０】
上記のように構成された透明板保持枠６は、該透明板保持枠６が閉じられている状態のとき、施錠機構３９のスプリング１１５により上動位置に付勢されている係止板１１２の係止部１１３，１１３と透明板保持枠６のＬ形係止金具６０，６０とが係合して該透明板保持枠６が施錠されている。そして、透明板保持枠６を開放するには、鍵挿通口５２からシリンダー錠４０の鍵穴５１に鍵Ｋを差し込んで、錠軸７２を図１８に示す矢印Ｂ方向ヘ回動することにより、カム板８３の第２カム片９２が係止板１１２の係合受部１１４に上方から係合して、該係止板１１２をスプリング１１５の付勢に抗して下動し、該係止板１１２の係止部１１３，１１３と透明板保持枠６のＬ形係止金具６０，６０との係合を解除するもので、これにより透明板保持枠６の施錠が解錠されて開放可能な状態となる。なお、内枠体４を開放してその裏面側から開放レバー１１６を押し下げ操作することにより、係止板１１２が同じように下動して透明板保持枠６を開くことができるようになっている。
【００４１】
また、透明板保持枠６が閉じられている状態のとき、前記シリンダー錠４０が貫通孔５４を貫通して、鍵穴５１が鍵挿通孔５２の開口部付近に位置して略同一面となり、図９に示すように前記リブ壁８５が補強金属板６ｂの裏面にほぼ当接した状態となっている。
【００４２】
このように、透明板保持枠６の閉鎖状態において、前記取付部材４１のリブ壁８５が補強金属板６ｂの裏面にほぼ当接した状態にあることから、例えば透明板保持枠６の開閉をスムーズにするために、鍵挿通口５２がシリンダー錠４０の径より大きく形成された場合、該鍵挿通口５２から針金等の不正具を挿入して、貫通孔５４を介して内枠体４及び透明板保持枠６の施錠機構３７，３９を操作して解錠しようとしても、前記針金の先端は枠状に立設したリブ壁８５に突き当たり、それ以上進むことが出来なくなるので、内枠体４及び透明板保持枠６を開いて行う不正を確実に防止することができる。
【００４３】
次に、シリンダー錠４０の旧鍵から新鍵へのコード設定操作について図１１及び図１２を参考に説明する。先ず、図１１に示すように突出ピン７８が鍵穴５１内に突出した状態で旧鍵Ｋ１を図１２（ａ）に示すように鍵穴５１に挿通すると、旧鍵Ｋ１の凹凸に沿って突出ピン７８が収納部７５に進退し、内周シリンダー７４及び中間シリンダー７３が共に回転可能となり、解錠操作によって飾り部材としての透明板保持枠６を開放して、図２に示すように前記リセットレバー８７の操作部９０を露呈させる。そして、図１２（ａ）に示す旧鍵Ｋ１を軸穴５１に挿入した状態で操作部９０を押圧操作すると、その押圧操作に伴い係合孔８９に係合したリセット機構の鍵リセット摘み８１ａが押圧操作され、操作ピン８１が中間シリンダー７３の副収納部７６に入り込むことで、中間シリンダー７３の回動が阻止されて内周シリンダー７４のみが回転可能となる。次に、図１２（ｂ）に示すように、旧鍵Ｋ１の回動により内周シリンダー７４を１８０度回転させた状態で旧鍵Ｋ１を抜取ると、同図鎖線に示すようにスプリング７７の付勢により、収納部７５に突出ピン７８及び設定用スペーサ７９，ブロック８０が均一に並ぶリセット状態となる。この状態で、図１２（ｃ）に示すように新鍵Ｋ２を軸穴５１に差込むと、新鍵Ｋ２の凹凸に沿って突出ピン７８が押圧され、内周シリンダー７４に設定用スペーサ７９が供給されて新鍵のコードに設定される。そして、図１２（ｄ）に示すように新鍵Ｋ２を１８０度回転させて内周シリンダー７４を初期位置に戻すことで、操作ピン８１がスプリング７７の付勢により復帰して、中間シリンダー７３が内周シリンダー７４と共に回動可能となり、新鍵Ｋ２のみによって内周シリンダー７４及び中間シリンダー７３を共に回動させることができる。当然のことながら、図１２（ａ）及び（ｄ）に示すように内周シリンダー７４の収納部７５に収納された設定用スペーサ７９の数が異なることから、図１２（ｄ）の状態で旧鍵Ｋ１を差し込んでも中間シリンダー７３の回動面にブロック８０が位置することになり、旧鍵Ｋ１によっては内周シリンダー７４及び中間シリンダー７３を回動させることはできない。このことから、錠軸７２を回動させることができないため、同じシリンダー錠４０であっても新鍵Ｋ２以外で透明板保持枠６及び内枠体４を開放することはできない。
【００４４】
このように、シリンダー錠４０の鍵のコードをリセットするのに、鍵挿通口５２が開設された飾り部材（本実施の形態において透明板保持枠６）を内枠体４から開放して離間させるだけでリセットレバー８７を視認操作でき、従来のように重量のある内枠体４を開放し、一方の手で内枠体４の後面に位置するリセット機構の鍵リセット摘み８１ａを探すこともなく、簡単に新鍵のコードにリセットができるため、特にホール全体のパチンコ遊技機１の鍵を新鍵のコードに設定する際には極めて効率的に作業することができる。特に、飾り部材を透明板保持枠６とした場合には、ホール閉店後の掃除の際に透明板保持枠６を必ず開放するため、新鍵のコード設定のためにわざわざ透明板保持枠６を開放させることもないため、より効率的に新鍵の設定作業をすることができる。
【００４５】
また、本願発明において、シリンダー錠４０を所定厚さを有する取付部材４１を介して内枠体４に取着することにより、シリンダー錠４０を透明板保持枠６側に突出させることができ、実施の形態に示したように合成樹脂製の本体枠６ａを膨出して立体感のある透明板保持枠６としても、鍵穴５１を鍵挿通口５２に臨ませる所定高さに設定することができる。このため、透明板保持枠６のデザイン変更により鍵穴５１の臨む鍵挿通口５２の突出高さが変化しても、取付部材４１をその鍵挿通口４２の突出量に合致するものに交換するだけで、シリンダー錠４０の鍵穴５１を前記鍵挿通口５２の開口部付近に簡単に位置させ対応することができ、透明板保持枠６のデザイン変更の度に内枠体４の型を変更することがないためコストの低減を図ることができる。このとき、取付部材４１の形状は限定されるものではない。
【００４６】
なお、シリンダー錠４０は、上記構造に限定されるものではなく、任意に新鍵のコードに設定変更することができる可変式錠であればよい。また、シリンダー錠４０は取付部材４１を介すことなく、固定プレート３８の取付台部３８ｂに直接取付けるようにしてもよく、このときリセットレバー８７がシリンダー錠４０の鍵リセット摘み８１ａに係合して摺動し得るガイドを設けるのが好ましい。
【００４７】
実施の形態において、飾り部材を透明板保持枠６として説明したが、図２２（ａ）に示すように鍵穴５１周辺を透明板保持枠６と別途形成した飾り部材１２０としてもよく、この別途形成した飾り部材１２０を例えば内部にランプ等の照射手段を備えたレンズ部材としてもよい。但し、該飾り部材１２０を着脱または開放自在に設けて該飾り部材を内枠体４から離間することによりリセットレバー８７を視認可能として、鍵のコードリセット操作が行えるようにすればよい。また、図２２（ｂ）に示すように前記飾り部材１２０の部分を切り欠くようにして透明板保持枠６を設けるようにしてもよい。更に、シリンダー錠４０の設置位置は限定されるものではなく、例えばパチンコ遊技機１の右上位置であっても打球供給皿７の右方であってもよい。
【００４８】
なお、本願発明は、上記実施の形態に限定されるものではなく、本発明の主旨内において変更可能である。例えば、実施の形態において透明板保持枠６と打球供給皿７とが個々に開放するようにしたが、透明板保持枠６と打球供給皿７とが一体的に開放するパチンコ遊技機１であってもよく、さらに内枠体４及び透明板保持枠６の軸支構造３ａ，３ｂ，５及び施錠機構３７，３９等その形態は限定されるものではない。
【００４９】
また、実施の形態において遊技機を、パチンコ球を遊技媒体として遊技するパチンコ遊技機として説明したが、コイン（メダル）を遊技媒体として遊技するスロット遊技機にも適用できる。
【００５０】
【発明の効果】
以上説明したように、本発明によれば、外枠の前面に内枠体が開閉自在に装着され、後面に突出する鍵リセット摘みを操作することにより複数種類の鍵コードに設定可能な可変式のシリンダー錠の鍵挿通口が開設された飾り部材が前記内枠体の前面に設けられた遊技機であって、前記鍵リセット摘みと連係するリセットレバーをシリンダー錠の前面側に臨ましめ、前記飾り部材を内枠体から離間させた状態で、前記リセットレバーを操作することにより、前記シリンダー錠の鍵コード設定操作を内枠体の前面側から行い得るようにしたから、新鍵コード設定作業をいちいち内枠体を開放して該内枠体の裏面側行うことがなく、新鍵コード設定作業の作業性をよくすることができる。
【００５１】
また、内枠体の一側に設けられるシリンダー錠を、前記内枠体の前面に所定厚さの取付部材を介して取着することにより、該シリンダー錠の鍵穴を前記鍵挿通口の開口部付近に位置させるようにしたから、デザイン変更により鍵挿通口の突出高さが変更しても、取付部材を交換するだけで簡単に対応することができる。
【図面の簡単な説明】
【図１】パチンコ遊技機の正面図である。
【図２】透明板保持枠を開いた状態のパチンコ遊技機の斜視図である。
【図３】内枠体を開放した状態の裏面斜視図である。
【図４】内枠体と透明板保持枠と前面板及び前面下部板を取り外した状態の斜視図である。
【図５】外枠と内枠体の上部ヒンジ機構部分の分解斜視図である。
【図６】外枠と内枠体の下部ヒンジ機構部分の分解斜視図である。
【図７】外枠と内枠体の上部ヒンジ機構部分の側面断面図である。
【図８】ガイド枠を分解して示すガラス板保持枠の一部裏面斜視図である。
【図９】ガラス板保持枠を閉めた状態を示すシリンダー錠部分の側面断面図である。
【図１０】シリンダー錠部分の分解斜視図である。
【図１１】シリンダー錠の縦断面図である。
【図１２】（ａ）〜（ｄ）はシリンダー錠の鍵コード設定の説明図である。
【図１３】多軸蝶番の斜視図である。
【図１４】外枠と透明板保持枠の施錠機構部分の斜視図である。
【図１５】施錠機構を遊技盤取付枠の縦枠から取り外した状態の斜視図である。
【図１６】内枠体の施錠機構の分解斜視図である。
【図１７】施錠機構の取り付け状態を一部断面にして示す側面図である。
【図１８】施錠機構のカム板部分の正面図である。
【図１９】施錠機構の上施錠片の作用を説明する側面図である。
【図２０】施錠機構の下施錠片の作用を説明する側面図である。
【図２１】施錠機構の解錠操作部材の作用を説明する側面図である。
【図２２】（ａ），（ｂ）は他の実施の形態のパチンコ遊技機の正面図である。
【符号の説明】
１　　　　　　　　　　　パチンコ遊技機（遊技機）
２　　　　　　　　　　　外枠
４　　　　　　　　　　　内枠体
６　　　　　　　　　　　透明板保持枠（飾り部材）
４０　　　　　　　　　　シリンダー錠
４１　　　　　　　　　　取付部材
５１　　　　　　　　　　鍵穴
５２　　　　　　　　　　鍵挿通口
８１ａ　　　　　　　　　鍵リセット摘み
８５　　　　　　　　　　リブ壁
８７　　　　　　　　　　リセットレバー
１２０　　　　　　　　　飾り部材
Ｋ，Ｋ１，Ｋ２　　　　　鍵
【図１】
2004081605.tif 000003
【図２】
2004081605.tif 000004
【図３】
2004081605.tif 000005
【図４】
2004081605.tif 000006
【図５】
2004081605.tif 000007
【図６】
2004081605.tif 000008
【図７】
2004081605.tif 000009
【図８】
2004081605.tif 000010
【図９】
2004081605.tif 000011
【図１０】
2004081605.tif 000012
【図１１】
2004081605.tif 000013
【図１２】
2004081605.tif 000014
【図１３】
2004081605.tif 000015
【図１４】
2004081605.tif 000016
【図１５】
2004081605.tif 000017
【図１６】
2004081605.tif 000018
【図１７】
2004081605.tif 000019
【図１８】
2004081605.tif 000020
【図１９】
2004081605.tif 000021
【図２０】
2004081605.tif 000022
【図２１】
2004081605.tif 000023
【図２２】
2004081605.tif 000024